(57)【要約】【課題】取り付けに多くの手間がかからず、鳥による巣作りを簡単にかつ確実に防止できるようにする。【解決手段】電信柱１の枝杆２に適宜間隔を以って取り付ける複数の固定具３と、紐状部材４とからなり、枝杆２に適宜間隔を以って固定具３を取り付け、かつ、上記枝杆２の上側を斜めに横切るように越えて揺動自在となるように紐状部材４を固定具３間に掛け渡たして取り付ける。【選択図】    図４
2004166520.tif 000002
【特許請求の範囲】
【請求項１】
所望の箇所に適宜間隔を以って取り付ける複数の固定具と、上記所望の箇所の上側を斜めに横切るように越えて揺動自在となるように、上記一方の固定具に一端部を係止し他端部を他方の固定具に係止する紐状部材とからなる鳥の巣作り防止具。
【請求項２】
上記固定具は、両端部に少なくとも一方をねじ穴にした穴を有するコ字形状またはＵ字形状の本体部と、上記穴に挿入して本体部のねじ穴にねじ付けるボルトと、からなる請求項１記載鳥の巣作り防止具。
【請求項３】
上記紐状部材は、ポリエチレン等の樹脂製で両端部に輪部を形成した柔軟性を有する適宜長さの部材である請求項１記載鳥の巣作り防止具。
【請求項４】
両端部にボルト用穴を有する複数のコ字形状の本体部を、電信柱の枝杆に適宜間隔を以って係合し、上記ボルト用穴にボルトを通して直接本体部のボルト用穴にねじ付けるか或いは上記ボルトにナットを取り付けて各本体部を枝杆に固定するとともに、適宜長さの紐状部材が枝杆の上側を通るようにしてこの紐状部材の両端部を各ボルトまたは各本体部にそれぞれ係止し、上記紐状部材を枝杆に揺動自在に設けることを特徴とする鳥の巣作り防止方法。
【発明の詳細な説明】
【０００１】
【産業上の利用分野】
本発明は野鳥の営巣防止具に関し、特に電信柱へのハトやカラスなどの巣作りを防止する鳥の巣作り防止具及び鳥の巣作り防止に関する。
【０００２】
【従来の技術】
ハトやカラスなどの野鳥は、巣作りの時期になると適宜長さの小枝や針金、或いは金属線製のハンガーなどをくわえて来ては、電信柱の枝杆などの上に集めて巣作りすることが多々ある。
【０００３】
しかし、巣を作るために集めてきた中には針金等の金属製のものが含まれているため、これらが電線に触れてショートさせる危険性がある。
【０００４】
そこで、作業員が定期的に各電信柱を見て回り、巣を見つけたら電信柱に登って或いは作業車の昇降機で巣の近くまで近づいて巣を取り除いていた。しかしこの作業は手間もかかり、また危険も伴いなかなか大変であった。
【０００５】
また、電信柱の枝杆に巣を作って雛がかえった場合、その雛や親鳥が糞を落とすために、その糞が通りかかった人や車等にかかって非常に不愉快にさせかつ不衛生であった。
【０００６】
このような野鳥による巣作りを防止するために例えば、下記の特許文献１に開示のような巣作り防止装置等が開発されている。
【０００７】
【特許文献１】特開２００２−５１６８４号公報（図１）
【０００８】
【発明が解決しようとする課題】
しかしながら、特許文献１に開示のような巣作り防止装置では、部品点数も多く、１セット当りの装置の費用も高く、また無数にある電信柱の一本づつに取り付けるとなると非常に手間もかかり大変であった。
【０００９】
本発明の目的は、上記課題を解決するもので、構成簡単で、コストも低減でき、かつ取り付けに多くの手間がかからず容易であり、鳥による巣作りを確実に防止できる鳥の巣作り防止装置及び鳥の巣作り防止方法を提供することにある。
【００１０】
【課題を解決するための手段】
本発明は上記した目的を有効に達成するために、次のような構成にしてある。すなわち、請求項１に記載の本発明の鳥の巣作り防止具は、所望の箇所に適宜間隔を以って取り付ける複数の固定具と、上記所望の箇所の上側を斜めに横切るように越えて揺動自在となるように、上記一方の固定具に一端部を係止し他端部を他方の固定具に係止する紐状部材とからなる。
【００１１】
この構成により、各固定具を適宜間隔を以って所望箇所に取り付けるとともに、上記所望箇所の上側を斜めに横切るように越えて揺動自在となるように紐状部材の端を各固定具に取り付けることにより、この紐状部材が自然の風や、止まろうとする鳥の羽ばたきによる風によって揺れて邪魔になり巣作りできなくなる。また、上記所望箇所に小枝等を載せたとしても、風等で紐状部材が揺れるために自然に落とされてしまう。上記の紐状部材は、所望箇所の上側にたすきがけに取り付けてもよい。
【００１２】
また、請求項２に記載の本発明の鳥の巣作り防止具は、請求項１に記載の本発明の鳥の巣作り防止具において、上記固定具は、両端部に少なくとも一方をねじ穴にした穴を有するコ字形状またはＵ字形状の本体部と、上記穴に挿入して本体部のねじ穴にねじ付けるボルトと、からなる。
【００１３】
この構成により、先ず本体部を例えば電信柱の枝杆に係合させ、ボルトを本体部の両端部の一方の穴から挿入して他方のねじ切りを施した穴にねじ付けることにより、固定具を高所でも簡単に枝杆に固定することができる。
【００１４】
また、請求項３に記載の本発明の鳥の巣作り防止具は、請求項１に記載の本発明の鳥の巣作り防止具において、上記紐状部材は、ポリエチレン等の樹脂製で両端部に輪部を形成した柔軟性を有する適宜長さの部材である。
【００１５】
この構成により、紐状部材を固定具間に揺動自在に掛け渡すことにより、風等でしなやかに揺れることになる。
【００１６】
また、請求項４に記載の本発明の鳥の巣作り防止方法は、両端部にボルト用穴を有する複数のコ字形状の本体部を、電信柱の枝杆に適宜間隔を以って係合し、上記ボルト用穴にボルトを通して直接本体部のボルト用穴にねじ付けるか或いは上記ボルトにナットを取り付けて各本体部を枝杆に固定するとともに、適宜長さの紐状部材が枝杆の上側を通るようにしてこの紐状部材の両端部を各ボルトまたは各本体部にそれぞれ係止し、上記紐状部材を枝杆に揺動自在に設けることを特徴とする。
【００１７】
この構成により、鳥が電信柱の枝杆に止まろうとしても、枝杆の上側に斜めに掛け渡した金具間の紐状部材が邪魔になって、巣作りのための小枝等を枝杆に載せることができなくなる。また、紐状部材の上に小枝等を載せたとしても紐状部材が風等で揺れて落下し巣を完成させることができなくなる。
【００１８】
【発明の実施の形態】
以下、本発明の実施の形態を図に基づいて説明する。
図１は本発明に係る一例の固定具の分解斜視図であり、図２は本発明に係る一例の紐状部材の説明図であり、図３は本発明に係る鳥の巣作り防止具を取り付ける場合の説明図であり、図４は電信柱の枝杆に本発明に係る鳥の巣作り防止具を取り付けた使用状態を示す説明図であり、図５は本発明に係る他の例の鳥の巣作り防止具を取り付ける場合の説明図である。
【００１９】
本発明の鳥の巣作り防止具は、電信柱１（図４、図３参照）の枝杆２に適宜間隔を以って取り付ける複数の固定具３（３ａ、３ｂ）と、上記枝杆２の上側２ａを斜めに横切るように越えて揺動自在となるように、一方の固定具３ａに一端部を係止し他端部を他方の固定具３ｂに係止する紐状部材４とからなる。
【００２０】
上記の各固定具３（３ａ、３ｂ）は本体部５とボルト６とからなり、本体部５（図１参照）は帯状の金属部材をコ字形状に屈曲するとともに両端部に穴７ａ、７ｂを形成し、一方の穴７ａにボルト６とねじ合うねじ溝８を形成してある。勿論、両方の穴がねじ穴であってもよい。また、ボルト６は、先端の近傍部分のみをねじ切りしたボルトであってもよい。さらに、上記ボルトに替えて穴間に掛け渡して両端を係止できる軸や針金等であってもよい。
【００２１】
紐状部材４（図２参照）は、ポリエチレン等の樹脂製で両端部に輪部９（９ａ、９ｂ）を形成した柔軟性を有する適宜長さ、例えば１０００ｍｍ位の長さの部材である。紐状部材４の径は４ｍｍ以下である。
【００２２】
上記のような構成から成る鳥の巣作り防止具を使用する場合（図３、図４参照）は、固定具３を構成する本体部５を、穴７ａ、７ｂ側を下にして電信柱１の枝杆２に上から係合し、ボルト６の頭部６ａ側に紐状部材４の一方の輪部９ａを係止して、このボルト６を一方の穴７ｂ（ねじ加工を施していない穴）の外側から通して他方の穴７ａ（ねじ加工を施している）にねじ込み、紐状部材４の一方の輪部９ａを本体部５とともに枝杆２に取り付ける。このとき上記輪部９ａは、ボルト６の頭部６ａと本体部５の側面との間に位置している。勿論、輪部９ａは、固定具３の内側のボルト６部分に係止して取り付けてもよい。
【００２３】
次にこの紐状部材４が枝杆２の上側２ａを斜めに横切るように越えて揺動自在に円弧状となる位置に他方の固定具３ｂの本体部５を、上記と同様にして枝杆２に取り付ける。この場合、ボルト６の先端部を穴７ａ側にねじ込む前に、この先端部に紐状部材４の他方の輪部９ｂを係合させてから穴７ａにねじ込む。したがって、輪部９ｂは固定具３ｂの本体部５の内側に係止された状態となる。勿論、固定具３ｂの取り付け向きを反対（図３の固定具３ｂを１８０度変更してねじ穴位置を固定具３ａと同じ配置側にして）枝杆２に取り付け、上記紐状部材４の他方の輪部９ｂも、上記輪部９ａと同様に、ボルト６の頭部６ａと本体部５の外面との間に位置するようにして取り付けてもよい。
【００２４】
また、図４に示すように２個以上の固定具３と紐状部材４とを図示のように枝杆２に取り付けて使用してもよい。
【００２５】
上記のようにして電信柱１の枝杆２に鳥の巣作り防止具を取り付けることにより、野鳥は枝杆２を斜めに横切る紐状部材４が邪魔になって枝杆２に止まりにくなり、また紐状部材４が自然の風や自動車等が傍を通る時の振動や、電信柱１や枝杆２に止まろうとする鳥の羽ばたきによる風によって揺れ、小枝等の巣作り材を枝杆２に載せられなくなる。また、枝杆２に小枝等を載せたとしても、上記した風等で紐状部材４が揺れるため、自然に落とされてしまって巣作りできなくなる。故に鳥の枝杆２への巣作りを防止することができる。
【００２６】
尚、電信柱１の枝杆２に取り付けた固定具３に、上記と同様に紐状部材４の一端部を係止し、枝杆２の上側２ａを斜めに横切るように越えて揺動自在となるようにして他端部を枝杆２に針金や紐や釘等の止め具で係止し、鳥の巣作りを防止するようにしてもよい。また、紐状部材４は、揺動自在に枝杆２等に取り付けることができれば、図示した以外の取り付け方法や、取り付け向き例えば枝杆２等の側面に沿って取り付けてもよい。
【００２７】
また、本体部５の形状は、コ字形に限らずＵ字形や、円形、楕円形等、枝杆２をはじめ所望の箇所に取り付けることができれば如何なる形状とするも自由である。
【００２８】
また、紐状部材４の長さ、太さ、断面形状、材質は、特に限定するものではなく、適宜設計変更してもよい。
【００２９】
さらに、固定具としての本体部は、適宜長さの帯状のものであって、両端部を結んだり、両端部に嵌合具（図示せず）を備えていてこれらの嵌合具を嵌め合わせたり、或いは両端部に係止具を備えていてこれらの係止具を引っ掛けたりして連結できるようにしたものであってもよい。この場合の固定具では図示のようなボルトが不要となりコストを低減できる。
【００３０】
また、上記でも述べたように本発明の鳥の巣作り防止具は、電信柱１の枝杆２に限らず、鳥害のおそれのある箇所なら如何なる箇所に取り付けるも自由である。さらに、ボルト６は本体部に開けた穴を介してナットで固定するようにしてもよい。
【００３１】
図５は本発明に係る他の例の鳥の巣作り防止具を取り付けた使用状態を示し、この例における所望の箇所（枝杆２）に適宜間隔を以って取り付ける複数の固定具とは、ボルト１０、ナット１１からなり、紐状部材４の一端部（輪部９ａ）を係止したボルト１０を、枝杆２に適宜間隔を以って形成されている貫通穴１２ａに挿入し、ナット１１（反対側図示せず）をボルト１０の先端部にねじ付けてこのボルト１０を枝杆２に固定する。次に紐状部材４は、枝杆２の上側２ａを斜めに横切るように越えて揺動自在となるようにして他端部（図示せず）を他のボルト１０に係止し、このボルト１０を貫通穴１２ａの隣の貫通穴１２ｂに挿入し、このボルト１０の先端部１０ａにナット１１をねじ付け、このボルト１０を枝杆２に固定する。このようして順次紐状部材４をボルト１０・ナット１１を介して枝杆２に揺動自在に取り付ける。この例の鳥の巣作り防止具では、上記したコ字形状等の本体部５を必要とせず部品点数も少なくより低コストの鳥の巣作り防止具を提供することができる。
【００３２】
【発明の効果】
以上の説明からも明らかなように本発明の鳥の巣作り防止具は、各固定具を適宜間隔を以って所望箇所に取り付けるとともに、所望箇所の上側を斜めに横切るように越えて揺動自在となるように、紐状部材を固定具に取付けることにより、自然の風や枝杆に止まろうとする鳥の羽ばたきによる風によって紐状部材が揺れ、この紐状部材が邪魔になって小枝等の巣作り材を所望箇所に載せられなくなる。また、枝杆に小枝等を載せたとしても、風等で紐状部材が揺れるために自然に落とされてしまう。したがって、巣作りを構成簡単にして防止することができる。また、部品点数も少なく構成簡単であるが故に取り付けも容易に行うことができる。さらに、従来に比べ巣作り防止具の１個あたりのコストも低減できる。
【００３３】
また、本体部を所望箇所に係合させてボルトを本体部の両端部の一方の穴から挿入し、他方のねじ切りを施した穴にねじ付けることにより、高所でも簡単に固定することができ、取り付け作業時間を従来に比べ短縮することができる。
【００３４】
また、紐状部材を固定具間に揺動自在に掛け渡すことにより、風等でしなやかに揺れ、鳥が巣作り材料の小枝等を置くの簡単に阻止することができる。
【００３５】
また、鳥が電信柱の枝杆に止まろうとしても、枝杆の上側に斜めに掛け渡した金具間の紐状部材が邪魔になって、巣作りのための小枝等を枝杆に載せることができなくなる。また、紐状部材の上に小枝等を載せたとしても紐状部材が風等で揺れて落下してしまい、巣作り防止を確実にできる。
【００３６】
【図面の簡単な説明】
【図１】本発明に係る固定具の分解斜視図である。
【図２】本発明に係る紐状部材の説明図である。
【図３】本発明に係る鳥の巣作り防止具を取り付ける場合の説明図である。
【図４】電信柱の枝杆に本発明に係る鳥の巣作り防止具を取り付けた使用状態を示す説明図である。
【図５】他の例の本発明に係る鳥の巣作り防止具を取り付けた使用状態を示す説明図である。
【符号の説明】
１          電信柱
２          枝杆
２ａ        上側
３（３ａ，３ｂ）固定具
４          紐状部材
５          本体部
６          ボルト
７ａ，７ｂ  穴
８          ねじ穴
９ａ、９ｂ  輪部
【図１】
2004166520.tif 000003
【図２】
2004166520.tif 000004
【図３】
2004166520.tif 000005
【図４】
2004166520.tif 000006
【図５】
2004166520.tif 000007